(57)【要約】本発明は、光記録担体の記録面に放射線ビームを印加することによりマーク及びランドを形成する方法、装置、及び担体に関連する。主にＤＶＲ−Ｒ（ＢＤ−Ｒ）フォーマットのための情報を記録する記録方法が提案される。書き込み照射期間３の一連の部分２、４、５が提案される。
2005518619.tif 000002
【特許請求の範囲】
【請求項１】
光記録担体の記録面に放射線ビームを印加することによりマーク及びランドを形成する光記録担体記録方法であって、
前記マークはｎＴの時間の長さを有し、
Ｔはデータ信号中の基準クロックの１周期の時間の長さを表わし、ｎは所定の自然数を表わし、記録されるべき各マークについての放射線ビームは、まず、最低パワー照射レベルよりも高く書き込みパワー照射レベルよりも低い中間パワー照射レベルに設定され、
前記中間パワー照射レベルは、先行する最低パワー照射期間の時間の長さに従って設定され、
前記中間パワー照射期間の後、記録されるべき各マークについての放射線ビームは、書き込み照射期間の第１及び第３の部分の間は前記書き込みパワー照射レベルに設定され、
それに対して、記録されるべき各マークについての放射線ビームは、前記書き込み照射期間の第２の部分の間は高書き込みパワーレベルに設定され、
前記高書き込みパワーレベルは前記書き込みパワーレベルよりも高く、
前記高書き込みパワーレベル及び前記書き込み照射期間の第２の部分の持続時間はいずれも、記録されるべきマークの時間の長さに従って設定される、
ことを特徴とする、光記録担体記録方法。
【請求項２】
光記録担体の記録面に放射線ビームを印加することによりマーク及びランドを形成する光記録担体記録方法であって、
前記マークはｎＴの時間の長さを有し、
Ｔはデータ信号中の基準クロックの１周期の時間の長さを表わし、ｎは所定の自然数を表わし、
記録されるべき各マークについての放射線ビームは、まず、最低パワー照射レベルよりも高く書き込みパワー照射レベルよりも低い中間パワー照射レベルに設定され、
前記中間パワー照射レベルは先行する最低パワー照射期間の時間の長さに従って設定され、
前記中間パワー照射期間の後、記録されるべき各マークについての放射線ビームは、書き込み照射期間の第１の部分の間は高書き込みパワー照射レベルに設定され、
それに対して、記録されるべき各マークについての放射線ビームは、前記書き込み照射期間の第２の部分の間は書き込みパワーレベルに設定され、
前記高書き込みパワーレベルは前記書き込みパワーレベルよりも高く、
前記高書き込みパワーレベル及び前記書き込み照射期間の第１の部分の持続時間はいずれも、記録されるべきマークの時間の長さに従って設定される、
ことを特徴とする、光記録担体記録方法。
【請求項３】
時間の長さがｎＴであるマークを記録するための前記高書き込みパワーレベルは、時間の長さ（ｎ＋１）Ｔを有するマークを記録するための前記高書き込みパワーレベルよりも高いことを特徴とする、請求項１又は２記載の光記録担体記録方法。
【請求項４】
ｎは２であり、前記高書き込みパワーレベルは前記書き込みパワーレベルの２．０倍よりも低いよう設定されることを特徴とする、請求項１又は２記載の光記録担体記録方法。
【請求項５】
ｎは３であり、前記高書き込みパワーレベルは前記書き込みパワーレベルの１．７倍よりも低いよう設定されることを特徴とする、請求項１又は２記載の光記録担体記録方法。
【請求項６】
ｎは４であり、前記高書き込みパワーレベルは前記書き込みパワーレベルの１．５倍よりも低いよう設定されることを特徴とする、請求項１又は２記載の光記録担体記録方法。
【請求項７】
ｎは４よりも大きく、前記高書き込みパワーレベルは前記書き込みパワーレベルの１．４倍よりも低いよう設定されることを特徴とする、請求項１又は２記載の光記録担体記録方法。
【請求項８】
光記録担体の記録面に放射線ビームを印加することによりマーク及びランドを形成する光記録担体記録方法であって、
前記マークはｎＴの時間の長さを有し、
Ｔはデータ信号中の基準クロックの１周期の時間の長さを表わし、ｎは３よりも小さい所定の自然数を表わし、
記録されるべき各マークについての放射線ビームは、まず、最低パワー照射レベルよりも高く書き込みパワー照射レベルよりも低い中間パワー照射レベルに設定され、
前記中間パワー照射レベルは先行する最低パワー照射期間の時間の長さに従って設定され、
前記中間パワー照射期間の後、記録されるべき各マークについての放射線ビームは、書き込み照射期間の第１の部分の間は書き込みパワー照射レベルに設定され、
それに対して、記録されるべき各マークについての放射線ビームは、前記書き込み照射期間の第２の部分の間は高書き込みパワーレベルに設定され、
前記高書き込みパワーレベルは前記書き込みパワーレベルよりも高い、
ことを特徴とする、光記録担体記録方法。
【請求項９】
前記高書き込みパワーレベルは前記書き込みパワーレベルの２．０倍よりも低いよう設定されることを特徴とする、請求項８記載の光記録担体記録方法。
【請求項１０】
先行する最低パワー照射期間の長さの持続時間は２Ｔよりも小さく、
前記中間パワー照射レベルは前記書き込みパワーレベルの０．５倍よりも低いよう設定されることを特徴とする、請求項１、２、又は８記載の光記録担体記録方法。
【請求項１１】
先行する最低パワー照射期間の長さの持続時間は３Ｔであり、
前記中間パワー照射レベルは前記書き込みパワーレベルの０．３乃至０．８倍の範囲内であるよう設定される、請求項１、２、又は８記載の光記録担体記録方法。
【請求項１２】
先行する最低パワー照射期間の長さの持続時間は４Ｔであり、
前記中間パワー照射レベルは前記書き込みパワーレベルの０．４乃至０．９倍の範囲内であるよう設定される、請求項１、２、又は８記載の光記録担体記録方法。
【請求項１３】
先行する最低パワー照射期間の長さの持続時間は４Ｔよりも大きく、
前記中間パワー照射レベルは前記書き込みパワーレベルの０．５倍よりも大きいよう設定される、請求項１、２、又は８記載の光記録担体記録方法。
【請求項１４】
光記録担体の記録面を放射線ビームにより照射することにより前記光記録媒体の記録面にマーク及びランドの形でデータを記録する光記録装置であって、前記装置は、前記放射線ビームを与える放射線源と、前記放射線ビームのパワーを、書き込み照射期間の間はマークを形成することが可能な少なくとも１つの書き込みパワーレベルを有し、最低パワー照射期間中はマークを形成することが可能でない少なくとも１つの最低パワーレベルを有し、最低パワーレベルよりも高く書き込みパワーレベルよりも低い少なくとも１つの中間パワーレベルを有するよう制御する制御手段とを有し、前記制御手段は先行する最低パワー照射期間の時間の長さに従って前記中間パワー照射レベルを設定するよう動作可能であり、
前記制御手段は、前記中間パワー照射期間の後に前記放射線ビームのパワーを、
書き込み照射期間の第１及び第３の部分の間にマークを形成することが可能な書き込みパワーレベルと、
書き込み照射期間の第２の部分の間にマークを形成することが可能な高書き込みパワーレベルと、を有するよう制御するよう動作可能であり、
前記高書き込みパワーレベルは前記書き込みパワーレベルよりも高く、
前記高書き込みパワーレベル及び前記書き込み照射期間の第２の部分の持続時間はいずれも、記録されるべきマークの時間の長さに従って設定されることを特徴とする、光記録装置。
【請求項１５】
光記録担体の記録面を放射線ビームにより照射することにより前記光記録媒体の記録面にマーク及びランドの形でデータを記録する光記録装置であって、前記装置は、前記放射線ビームを与える放射線源と、前記放射線ビームのパワーを、書き込み照射期間の間はマークを形成することが可能な少なくとも１つの書き込みパワーレベルを有し、最低パワー照射期間中はマークを形成することが可能でない少なくとも１つの最低パワーレベルを有し、最低パワーレベルよりも高く書き込みパワーレベルよりも低い少なくとも１つの中間パワーレベルを有するよう制御する制御手段とを有し、前記制御手段は先行する最低パワー照射期間の時間の長さに従って前記中間パワー照射レベルを設定するよう動作可能であり、
前記制御手段は、前記中間パワー照射期間の後に前記放射線ビームのパワーを、
書き込み照射期間の第１の部分の間にマークを形成することが可能な高書き込みパワーレベルと、
書き込み照射期間の第２の部分の間にマークを形成することが可能な書き込みパワーレベルとを有するよう制御することが可能であり、
前記高書き込みパワーレベルは前記書き込みパワーレベルよりも高く、
前記高書き込みパワーレベル及び前記書き込みパワーレベルの第１の部分の持続時間はいずれも、記録されるべきマークの時間の長さに従って設定されることを特徴とする、光記録装置。
【請求項１６】
光記録担体の記録面を放射線ビームにより照射することにより前記光記録媒体の記録面にマーク及びランドの形でデータを記録する光記録装置であって、前記装置は、前記放射線ビームを与える放射線源と、前記放射線ビームのパワーを、書き込みパワー照射期間の間に長さ２Ｔのマークを形成することが可能な少なくとも１つの書き込みパワーレベルを有し、但しＴはデータ信号中の基準クロックの１周期の時間の長さを表わすよう、また、最低パワー照射期間の間にマークを形成することが可能でない少なくとも１つの最低パワーレベルを有するよう、また、最低パワーレベルよりも高く書き込みパワーレベルよりも低い中間パワーレベルを有するよう制御する制御手段とを有し、前記制御手段は先行する最低パワー照射期間の時間の長さに従って前記中間パワー照射レベルを設定するよう動作可能であり、
前記制御手段は前記中間パワー照射レベルの後に前記放射線ビームのパワーを、
書き込み照射期間の第１の部分の間にマークを形成することが可能な書き込みパワーレベルと、
書き込み照射期間の第２の部分の間にマークを形成することが可能な高書き込みパワーレベルとを有するよう制御するよう動作可能であり、
前記高書き込みパワーレベルは前記書き込みパワーレベルよりも高い、光記録装置。
【請求項１７】
放射線ビームによって記録面を照射することによってマーク及びランドの形でデータを記録する光記録担体であって、
中間パワーレベルパラメータ、高書き込みレベルパラメータ、及び、書き込み照射期間の高書き込みパワーレベルの持続時間を示すパラメータが前記光記録担体上に記録されることを特徴とする光記録担体。
【発明の詳細な説明】
【技術分野】
【０００１】
本発明は、光記録担体の記録面に放射線ビームを印加することによりマーク及びランドを形成する光記録担体記録方法であって、マークはｎＴの時間の長さを有し、Ｔはデータ信号中の基準クロックの１周期の時間の長さを表わし、ｎは所定の自然数を表わし、記録されるべき各マークについての放射線ビームは、まず、最低パワー照射レベルよりも高く書き込みパワー照射レベルよりも低い中間パワー照射レベルに設定され、中間パワー照射レベルは、先行する最低パワー照射期間の時間の長さに従って設定される方法に関する。
【０００２】
本発明はまた、光記録担体の記録面に放射線ビームを印加することによりマーク及びランドを形成する光記録担体記録方法であって、マークはｎＴの時間の長さを有し、Ｔはデータ信号中の基準クロックの１周期の時間の長さを表わし、ｎは３よりも小さい所定の自然数を表わし、記録されるべき各マークについての放射線ビームは、まず、最低パワー照射レベルよりも高く書き込みパワー照射レベルよりも低い中間パワー照射レベルに設定され、中間パワー照射レベルは先行する最低パワー照射期間の時間の長さに従って設定される方法に関する。
【０００３】
本発明はまた、かかる方法を実行する光記録装置に関連する。本発明はまた、かかる方法が適用されることが可能な光担体に関連する。
【背景技術】
【０００４】
冒頭の段落に記載の記録方法は、特許文献１より公知である。特許文献１に記載の解決策では、マークは、最低パワーレベルの後で書き込みパワーレベルの前に中間パワーレベルを有するよう設定された放射線ビームを光記録担体の記録面に印加することによって形成される。更に、マークは、書き込みパワーレベル及び高パワーレベルを有する放射線ビームを、書き込みパワー照射期間の第１及び第２の部分において夫々、光記録担体の記録面に印加することによって形成される。時間の長さが３Ｔ及び４Ｔであるマークが記録されるには、望ましい高パワーレベルは、夫々、書き込みパワーレベルの１．０５乃至１．１５倍、及び、書き込みパワーレベルの１．００乃至１．０８倍の範囲内に設定される。記録方法は、ジッタを減少させることを可能とし、特にＣＤ−Ｒシステムに適用可能である。
【特許文献１】国際公開０１／８６６４３号パンフレット
【発明の開示】
【発明が解決しようとする課題】
【０００５】
本発明は、冒頭の段落に記載した種類のマーク記録方法であってＤＶＲ−Ｒ（ＢＤ−Ｒ）フォーマットによりよく適したものを提供することを目的とする。
【課題を解決するための手段】
【０００６】
この目的は、冒頭の段落に記載した方法であって、中間パワー照射期間の後、記録されるべき各マークについての放射線ビームは、書き込み照射期間の第１及び第３の部分の間は書き込みパワー照射レベルに設定されることを特徴とする方法によって達成される。それに対して、記録されるべき各マークについての放射線ビームは、書き込み照射期間の第２の部分の間は高書き込みパワーレベルに設定される。高書き込みパワーレベルは書き込みパワーレベルよりも高い。高書き込みパワーレベル及び書き込み照射期間の第２の部分の持続時間はいずれも、記録されるべきマークの時間の長さに従って設定される。
【０００７】
この目的はまた、冒頭の段落に記載の方法であって、中間パワー照射期間の後、記録されるべき各マークについての放射線ビームは、書き込み照射期間の第１の部分の間は高書き込みパワー照射レベルに設定されることを特徴とする方法によって達成される。それに対して、記録されるべき各マークについての放射線ビームは、書き込み照射期間の第２の部分の間は書き込みパワーレベルに設定される。高書き込みパワーレベルは書き込みパワーレベルよりも高い。高書き込みパワーレベル及び書き込み照射期間の第１の部分の持続時間はいずれも、記録されるべきマークの時間の長さに従って設定される。
【０００８】
本発明による方法の望ましい変形例は、ｎが２であるとき、高書き込みパワーレベルは書き込みパワーレベルの２．０倍よりも低いよう設定されることを特徴とする。ｎが３であるとき、高書き込みパワーレベルは書き込みパワーレベルの１．７倍よりも低いよう設定され、ｎが４であるとき、高書き込みパワーレベルは書き込みパワーレベルの１．５倍よりも低いよう設定され、ｎが４よりも大きいとき、高書き込みパワーレベルは書き込みパワーレベルの１．４倍よりも低いよう設定される。
【０００９】
本発明による方法の望ましい変形例を特徴づける他の特徴は、先行する最低パワー照射期間の長さの持続時間が２Ｔよりも小さいとき、中間パワー照射レベルは書き込みパワーレベルの０．５倍よりも低いよう設定されることである。先行する最低パワー照射期間の長さの持続時間は３Ｔであり、中間パワー照射レベルは前記書き込みパワーレベルの０．３乃至０．８倍の範囲内であるよう設定される。先行する最低パワー照射期間の長さの持続時間が４Ｔであるとき、中間パワー照射レベルは書き込みパワーレベルの０．４乃至０．９倍の範囲内であるよう設定される。先行する最低パワー照射期間の長さの持続時間が４Ｔよりも大きいとき、中間パワー照射レベルは書き込みパワーレベルの０．５倍よりも大きいよう設定される。
【００１０】
本発明のこの目的は、ｎＴの時間の長さを有するマークについて、Ｔがデータ信号中の基準クロックの１周期の時間の長さを表わし、ｎが３よりも小さい所定の自然数を表わす、冒頭の段落に記載の方法であって、中間パワー照射期間の後、記録されるべき各マークについての放射線ビームは、書き込み照射期間の第１の部分の間は書き込みパワー照射レベルに設定されることを特徴とする方法によって達成される。それに対して、記録されるべき各マークについての放射線ビームは、前記書き込み照射期間の第２の部分の間は高書き込みパワーレベルに設定され、高書き込みパワーレベルは書き込みパワーレベルよりも高い。
【００１１】
本発明は、本発明による方法を実行する光記録装置を提供することを更なる目的とする。この目的は、請求項１４又は請求項１５又は請求項１６に記載の特徴を有する光記録装置によって達成される。
【００１２】
本発明は、本発明による方法を実行するためのパラメータが光記録担体の適当な部分に予め記録されている光記録担体を提供することを更なる目的とする。この目的は、請求項１７に記載の特徴を有する光記録装置によって達成される。
【００１３】
本発明は、例えばＤＶＲ−Ｒ（ＢＤ−Ｒ）システムによって説明されるが、当業者によれば、本発明は他の光記録システムに適用されうることが明らかとなろう。
【発明を実施するための最良の形態】
【００１４】
本発明の目的、特徴及び利点については、添付の図面に示すような本発明の実施例の以下のより具体的な説明から明らかとなろう。
【００１５】
図１は、放射線ビームのパワーを制御する制御信号１を示す。マークが記録されるとき、制御信号１、従って放射線ビームのパワーは、まず最低パワーレベルＰBから中間パワーレベルＰiへ設定され、次に書き込み照射期間３の第１の部分２の間は書き込みパワーＰWに設定され、続いて書き込み照射期間３の第２の部分４の間は高書き込みパワーレベルＰEに設定される。その後、制御信号１、従って放射線ビームのパワーは、書き込み照射期間３の第３の部分５の間に再び書き込みパワーＰWに設定され、次に最低パワーレベルＰBに設定される。
【００１６】
図２は、放射線ビームのパワーを制御する制御信号６を示す図である。マークが記録されているとき、制御信号６、従って放射線ビームのパワーは、まず最低パワーレベルＰBから中間パワーレベルＰiへ設定され、次に書き込み照射期間８の第１の部分７の間は高書き込みパワーレベルＰEに設定される。その後、制御信号６、従って放射線ビームのパワーは、書き込み照射期間８の第２の部分９の間に書き込みパワーＰWに設定され、次に最低パワーレベルＰBに設定される。
【００１７】
図３は、放射線ビームのパワーを制御する制御信号１０を示す図である。マークが記録されているとき、制御信号１０、従って放射線ビームのパワーは、書き込み照射期間１２の第１の部分１１の間にまず最低パワーレベルＰBから書き込みパワーレベルＰWへ設定される。その後、制御信号１０、従って放射線ビームのパワーは、書き込み照射期間１２の第２の部分１３の間に高書き込みパワーＰEに設定され、次に最低パワーレベルＰBに設定される。
【００１８】
図４は、ディスク型の光記録担体の記録面３０１にデータ信号２０を記録する本発明による光記録装置を示す図である。光記録担体は、モータ３４によりその中心回りに回転される。放射線ビーム３２は、放射線源３１によって発生され、レンズ３３によって記録面３０１に合焦される。
【００１９】
データ信号２０は、制御手段６０に接続される。制御手段６０内の電流源６１は、４つの出力Ａ，Ｂ，Ｃ及びＤを有する。出力Ａは、制御信号ＳCを通じて放射線源３１へ供給されたときは、書き込みパワーレベルＰWを有する放射線ビーム３２を生成する電流を与える。同様に、出力Ｂ，Ｃ及びＤは、高書き込みパワーレベルＰE、最低パワーレベルＰB、及び中間パワーレベルＰiを生じさせる電流を夫々与える。各出力Ａ，Ｂ，Ｃ及びＤの電流は、制御手段６０内の切換装置６２によって選択されうる。切換装置６２は、データ信号２０によって制御されるパターン発生器６３によって操作される。パターン発生器６３は、データ信号２０を制御信号２３へ変換する。
【００２０】
制御手段６０はまた、電流源６１の出力Ｂ及びＤの電流を設定する設定手段６４を有する。電流源６１の出力Ｂの電流は、高パワーレベル期間の持続時間の長さによって設定される。従って、出力Ｂの電流を設定することにより、高書き込みパワーレベルは、記録されるべきマークの長さに従って設定される。電流源６１の出力Ｄの電流は、書き込みパワー期間に先行する最低パワー期間の持続時間に従って設定され、中間パワーレベルは記録されるべきマークに先行するランドの長さに従って設定される。
【００２１】
図３は、本発明による光記録装置の実施例を示す。しかしながら、当業者によれば、電流源６１に更なる出力を追加し、切換装置６２を拡張することにより、より多くのパワーレベルを用いた光記録装置の実施例が実現されうることが明らかとなろう。更に、それに代わって、電流源６１の変動する電流を与える単一の出力Ｂ、或いはＤは、夫々が異なる電流を与える幾つかの出力によって置き換えられてもよく、このとき設定手段６４は任意の時間に高書き込みパワーレベル及び中間パワーレベルを夫々設定する適切な出力を選択するようにされうることが明らかである。
【図面の簡単な説明】
【００２２】
【図１】本発明の方法の第１の変形例を示す図である。
【図２】本発明の方法の第２の変形例を示す図である。
【図３】本発明の方法の第３の変形例を示す図である。
【図４】本発明による光記録装置を示す図である。
【図１】
2005518619.tif 000003
【図２】
2005518619.tif 000004
【図３】
2005518619.tif 000005
【図４】
2005518619.tif 000006
【国際調査報告】
2005518619.tif 000007
2005518619.tif 000008
2005518619.tif 000009
2005518619.tif 000010
2005518619.tif 000011